(57)【特許請求の範囲】
【請求項１】
横長の作業台上に複数の搬入ラインから搬送物を搬入し、前記作業台上の搬送物を搬出ラインに案内する搬送物ガイドレール装置において、
前記搬送物ガイドレール装置は、前記作業台上の長手方向を横切るガイド斜面が両側に形成されると共に、前記両ガイド斜面によって形成される先端が前記搬出ラインに向けて先細となるよう構成され、該先端が、前記搬出ラインの横幅を横切る範囲で前記作業台の長手方向に沿って左右に移動可能に支持されていることを特徴とする作業台における搬送物ガイドレール装置。
【請求項２】
前記搬送物ガイドレール装置は、前記ガイド斜面が、凹状に湾曲した円弧状に形成されている請求項１に記載の作業台における搬送物ガイドレール装置。
【請求項３】
前記搬送物ガイドレール装置は、平面視略三角形状に形成され、その底辺部の両側および／または先端頂部にそれぞれ転動部材が回転可能に軸支され、前記作業台を横切る幅方向両側に配置されたレールに転動可能に支持されている請求項１または２に記載の作業台における搬送物ガイドレール装置。
【請求項４】
前記搬送物ガイドレール装置の前記作業台を横切る幅方向における少なくとも片側には、所定間隔離間して一対のストッパが配置され、該ストッパとの当接によって移動範囲が規制されるようになっている請求項１ないし３の何れかに記載の作業台における搬送物ガイドレール装置。
【発明の詳細な説明】
【０００１】
【発明の属する技術分野】
本発明は、作業台に接続された搬出用ラインに向けて送り出される搬送物を案内するようにした作業台における搬送物ガイドレール装置に関する。
【０００２】
【従来の技術】
従来より、搬送ライン上に載置されて一方向に搬送される搬送物を、この搬送ラインの途中に接続された別の分岐搬送ラインに方向を変換して搬送するために、分岐位置に方向変換用のガイドレールが使用されている。
【０００３】
この種のガイドレールは、搬送ライン上を長手方向に搬送する搬送物の搬送方向を分岐搬送ラインに切り換える際にのみ、例えば搬送ラインを横切る方向に長手方向のほぼ中央に接続された分岐搬送ラインに向けて斜めに揺動位置決めし、ガイドレールに前記搬送物を当接させて方向を変更し分岐搬送ラインにガイドするよう構成されている。
【０００４】
【発明が解決しようとする課題】
このように、従来のガイドレールは、搬送ライン上の一方から長手方向に搬送されてくる搬送物を、分岐搬送ライン上に横切る方向に方向変換する構成となっていることから、例えば前記搬送ラインを、作業者によって各種搬送物を分岐搬送ラインに分岐搬送する作業台として使用する場合には、作業台上に搬送物を載置して作業する作業領域が、分岐搬送ラインに接続された長手方向の一方のみに限られてしまい、長手領域の他方はデッドスペースとなるばかりか、有効作業領域が狭くなることから作業効率が低下する問題を有していた。
【０００５】
本発明は、このような問題点に着目してなされたもので、作業台全長を作業領域として有効に使用することができ、作業台上の搬送物の方向変換を円滑に行う機能を有し、作業台上における作業効率を向上することができる作業台における搬送物ガイドレール装置を提供することを目的とする。
【０００６】
【課題を解決するための手段】
上記課題を解決するために、本発明の作業台における搬送物ガイドレール装置は、横長の作業台上に複数の搬入ラインから搬送物を搬入し、前記作業台上の搬送物を搬出ラインに案内する搬送物ガイドレール装置において、
前記搬送物ガイドレール装置は、前記作業台上の長手方向を横切るガイド斜面が両側に形成されると共に、前記両ガイド斜面によって形成される先端が前記搬出ラインに向けて先細となるよう構成され、該先端が、前記搬出ラインの横幅を横切る範囲で前記作業台の長手方向に沿って左右に移動可能に支持されていることを特徴としている。
この特徴によれば、搬送物ガイドレール装置が、作業台上の長手方向を横切るガイド斜面が両側に形成されるので、作業台全長を作業領域として有効に使用することができ、作業台上の搬送物を搬出ラインによって円滑に方向変換を行うことができる。
【０００７】
本発明の作業台における搬送物ガイドレール装置は、前記ガイド斜面が、凹状に湾曲した円弧状に形成されていれば好適である。
このようにすることにより、搬送物がガイド斜面に当接すると、凹状に湾曲した円弧部によって案内されるので、円滑に搬送物を方向変換することができる。
【０００８】
本発明の作業台における搬送物ガイドレール装置は、平面視略三角形状に形成され、その底辺部の両側および／または先端頂部にそれぞれ転動部材が回転可能に軸支され、前記作業台を横切る幅方向両側に配置されたレールに転動可能に支持されていれば好適である。
このようにすることにより、平面視略三角形状の搬送物ガイドレール装置が、転動部材によりレールに回転可能に支持されるので、安定した動きが得られ搬送物の方向変換を円滑に行うことができる。
【０００９】
本発明の作業台における搬送物ガイドレール装置は、前記作業台を横切る幅方向における少なくとも片側には、所定間隔離間して一対のストッパが配置され、該ストッパとの当接によって移動範囲が規制されるようになっていれば好適である。
このようにすることにより、搬送物を方向変換するに際し、当接によって移動する搬送物ガイドレール装置がストッパによって移動範囲が制限されるので、搬出ラインに対し正確に位置決めされ、方向変換作業を容易且つ確実に行うことができる。
【００１０】
【発明の実施の形態】
以下、本発明の一実施形態を図面に基づいて説明する。図１は本発明の搬送物ガイドレール装置が搬送ライン中に組み込まれた状態を示す斜視図、図２は本発明の搬送物ガイドレール装置が搬送ライン中に組み込まれた状態を示す平面図、図３の（ａ）は搬送物ガイドレール装置の平面図、（ｂ）は搬送物ガイドレール装置の部分側面図であり、図４は図３のＡ矢視図である。
【００１１】
先ず図１に示されるように、１は本発明の搬送物ガイドレール装置を示し、この搬送物ガイドレール装置１は、平面視視略三角形状に形成され、矩形状に形成された作業台２上に長手方向に所定範囲で移動可能に支持されており、作業台２の片側面に両側には２本の搬入ライン３ａ、３ｂが直交して接続されると共に、作業台２の長手方向中間には同一側面に単一の搬出ライン４が直交して接続されている。
【００１２】
更に詳しくは、作業台２を構成する両側のフレームＦ１、Ｆ２間には複数のボールキャスター５が整列して配置され、作業台２の両フレームＦ１、Ｆ２上の長手方向中央には、搬送物ガイドレール装置１を移動可能に案内支持する長短のレール７、８が幅方向左右に配設されている。
【００１３】
更に、作業台２の両側に接続される２本の搬入ライン３ａ、３ｂは、ローラーコンベアで構成されており、作業台２に向けて下り傾斜で接続され、搬送物の重力により搬送可能に構成されている。また、中央に配置される搬出ライン４も搬送物の重力により搬送可能なローラーコンベアで構成されており、作業台２から排出方向に下り傾斜になるよう接続されている。
【００１４】
そして、図２に示されるように、作業台２の片側面に接続される搬出ライン４先端の両側角部には、前記作業台２と同じ構造の複数のボールキャスター５を上面に配設した三角形の搬送支持板９ａ、９ｂが搬出ライン４と同一傾斜で取付けられている。
【００１５】
これによって、搬送物Ｔの形状が比較的大きな形状の場合に、方向変換される際にこの搬送支持板９ａ、９ｂによって支持されるので安定状態で搬送することができる。
【００１６】
また、搬送物ガイドレール装置１は、視略三角形状に形成された底辺が搬出ライン４の反対側側面に沿って並行に配置されており、両側に形成される２辺の斜面が左右対称に凹状に湾曲した円弧状のガイド斜面１０ａ、１０ｂとして形成されている。
【００１７】
搬送物ガイドレール装置１は、その底面に三角形状の底辺の両側と頂部に転動部材である支持ホイール１２ａ、１２ｂ及び１２ｃがそれぞれ回転可能に軸支され、底辺両側の支持ホイール１２ａ、１２ｂは作業台２の、搬出ライン４の反対側側面のレール７（図１参照）に転動可能に支持され、頂部の支持ホイール１２ｃは作業台２の搬出ライン４が取り付けられる片側側面の帯板状のレール８に転動可能に支持されている
【００１８】
レール７の両端には支持ホイール１２ａ、１２ｂにそれぞれ当接可能な一対のストッパ１３ａ、１３ｂが配置され、片側側面のレール８には一対のストッパ１４ａ、１４ｂが所定間隔離間して配置されている。
【００１９】
作業台２上の片側側面に配置されるストッパ１４ａ、１４ｂの離間距離は、搬送物ガイドレール装置１頂部の移動範囲が少なくとも搬出ライン４の横幅に相当する距離、すなわち、搬送物ガイドレール装置１が移動した際、この両ガイド斜面１０ａ、１０ｂが搬出ライン４のそれぞれの側面に一致する間隔に配置されている。
【００２０】
さらに、支持ホイール１２ａ、１２ｂは、図３，図４に示されるように、それぞれが並設して配置された一対のホイールＷ１、Ｗ２で構成されており、これらホイールＷ１、Ｗ２は断面Ｃ字形に形成されたレール７内に挿入されてその上面はフランジ部でガイドされ搬送物ガイドレール装置１の上方への移動が規制されている。
【００２１】
一方、支持ホイール１２ｃは、搬送物ガイドレール装置１の頂部側から互いに離間して垂下支持された一対のブラケット１５ａ、１５ｂの対面する内側の上下に軸支された一対のホイールＷ３、Ｗ４で構成されており、これら一対のホイールＷ３、Ｗ４は、レール８と片側のフレームＦ２のフランジと共に上下面を挟持するよう配置され、搬送物ガイドレール装置１の上方への移動が規制されている。
【００２２】
次に、このように構成された搬送物ガイドレール装置の作用に付き説明する。
【００２３】
図５の（ａ）〜（ｃ）は作業台上の搬送物を搬出ライン側に方向変換する作用の説明図である。図において、（ａ）に示されるように、一方の搬入ライン３ａから搬送物Ｔが作業台２の左側領域に搬入されて複数のボールキャスター上に載置される。
【００２４】
そこで、図１に示されるように作業者６は、所定の作業を行った後、この搬送物Ｔを作業台２の中央に向けて人為的に移動する。この人為的移動により搬送物Ｔが搬送物ガイドレール装置１の片側の円弧状のガイド斜面１０ａに当接するとともに、搬送物ガイドレール装置１は搬送物Ｔと共に中央部に向けて移動する。
【００２５】
図５の（ｂ）に示されるように搬送物ガイドレール装置１にあっては、片側の支持ホイール１２ｂ及び１２ｃが各レール７、８上を移動して片側のストッパ１３ｂ、１４ｂに当接して搬送物ガイドレール装置１の移動が規制される。ここで、搬送物Ｔは片側の円弧状のガイド斜面１０ａに沿って案内されて中央の搬出ライン４に向けて方向の変換が開始される。
【００２６】
続いて、作業者によって搬送物Ｔを横方向（長手右方向）に移動すると、この搬送物Ｔの搬送方向が、搬出ライン４側に変換する分力を生ぜしめることとなり、搬送物Ｔを搬出ライン４側に円滑に送り出すことができる。
【００２７】
また、作業台２の右側領域に他方の搬入ライン３ｂから搬送物Ｔが搬入される場合は、所定の作業を行った後、この搬送物Ｔを作業台２の中央に向けて人為的に移動する。この人為的移動により搬送物Ｔが搬送物ガイドレール装置１の反対側の円弧状のガイド斜面１０ｂに当接するとともに、搬送物ガイドレール装置１は搬送物Ｔと共に中央部に向けて移動する。
【００２８】
中央部に向けて移動された搬送物ガイドレール装置１は、片側の支持ホイール１２ａ及び１２ｃが各レール７、８上を移動して反対側のストッパ１３ａ、１４ａに当接して移動が規制される。ここで、搬送物Ｔは片側の円弧状のガイド斜面１０ｂに沿って案内されて中央の搬出ライン４に向けて方向の変換が開始される。
【００２９】
続いて、作業者によって搬送物Ｔを横方向（長手左方向）に移動すると、この搬送物Ｔの搬送方向が、搬出ライン４側に変換する分力を生ぜしめることとなり、搬送物Ｔを搬出ライン４側に円滑に送り出すことができる。
【００３０】
このように、搬送物ガイドレール装置１が、作業台２上の長手方向を横切るガイド斜面１０ａ、１０ｂが両側に形成されるので、作業台２の全長を作業領域として有効に使用することができる。
【００３１】
さらに、搬送物ガイドレール装置１は、搬送物Ｔとの当接によって作業台２上の長手方向に移動しつつ、当接した搬送物Ｔの搬送方向を搬出ライン４側に変換する分力を生ぜしめるガイド斜面１０ａ、１０ｂが両側に形成されているので、左右の搬送装置３ａ、３ｂから搬送される搬送物Ｔの方向変換を円滑に行うことができ、作業者６は作業台２上における搬送物Ｔの搬出作業を効率良く行うことができる。
【００３２】
また、ガイド斜面１０ａ、１０ｂが凹状に湾曲した円弧状に形成されているので、搬送物Ｔがガイド斜面１０ａまたは１０ｂに当接すると、凹状に湾曲した円弧部によって案内されて更に円滑に搬送物Ｔを方向変換することができる。
【００３３】
更に、平面視略三角形状の搬送物ガイドレール装置１が、支持ホイール１２ａ、１２ｂ及び１２ｃにより３箇所で回転可能に支持されるので、安定した動きが得られ搬送物Ｔの方向変換作業を円滑に行うことができる。
【００３４】
そして、搬送物ガイドレール装置１は、搬送物Ｔを方向変換するに際し、ストッパ１３ａ、１４ａ又は１３ｂ、１４ｂとの当接によってその移動が拘束されて移動範囲が制限されるので、搬出ライン４に対し正確に位置決めされ、搬送物Ｔの方向変換作業を容易且つ確実に行うことができる。
【００３５】
以上、本発明の実施形態を図面により説明してきたが、具体的な構成はこれら実施の形態に限られるものではなく、本発明の要旨を逸脱しない範囲における変更や追加があっても本発明に含まれる。
【００３６】
例えば、前述した実施形態においては、作業台２の片側面に直交して接続される搬入ライン３ａ、３ｂ及び搬出ライン４の接続位置は、実施形態の構成に限られるものではなく、各種接続形態を有するものであることは言うまでもない。
【００３７】
【発明の効果】
本発明は以下の効果を奏する。
【００３８】
（ａ）請求項１項の発明によれば、搬送物ガイドレール装置が、作業台上の長手方向を横切るガイド斜面が両側に形成されるので、作業台全長を作業領域として有効に使用することができ、作業台上の搬送物を搬出ラインによって円滑に方向変換を行うことができる。
【００３９】
（ｂ）請求項２項の発明によれば、搬送物がガイド斜面に当接すると、凹状に湾曲した円弧部によって案内されるので、円滑に搬送物を方向変換することができる。
【００４０】
（ｃ）請求項３項の発明によれば、平面視略三角形状の搬送物ガイドレール装置が、転動部材によりレールに回転可能に支持されるので、安定した動きが得られ搬送物の方向変換を円滑に行うことができる。
【００４１】
（ｄ）請求項４項の発明によれば、搬送物を方向変換するに際し、当接によって移動する搬送物ガイドレール装置がストッパによって移動範囲が制限されるので、搬出ラインに対し正確に位置決めされ、方向変換作業を容易且つ確実に行うことができる。
【図面の簡単な説明】
【図１】本発明の搬送物ガイドレール装置が搬送ライン中に組み込まれた状態を示す斜視図である。
【図２】本発明の搬送物ガイドレール装置が搬送ライン中に組み込まれた状態を示す平面図である。
【図３】（ａ）は搬送物ガイドレール装置の平面図、（ｂ）は搬送物ガイドレール装置の部分側面図である。
【図４】図３のＡ矢視図である。
【図５】（ａ）〜（ｃ）は作業台上の搬送物を搬出ライン側に方向変換する作用の説明図である。
【符号の説明】
１                搬送物ガイドレール装置
２                作業台
３ａ、３ｂ        搬入ライン
４                搬出ライン
５                ボールキャスター
６                作業者
７、８            レール
９ａ、９ｂ        搬送支持板
１０ａ、１０ｂ    ガイド斜面
１２ａ、１２ｂ    支持ホイール
１２ｃ            支持ホイール
１３ａ、１３ｂ    ストッパ
１４ａ、１４ｂ    ストッパ
１５ａ、１５ｂ    ブラケット
Ｆ１、Ｆ２        フレーム
Ｔ                搬送物
Ｗ１〜Ｗ４        ホイール
【図１】
0004454739.tif 000002
【図２】
0004454739.tif 000003
【図３】
0004454739.tif 000004
【図４】
0004454739.tif 000005
【図５】
0004454739.tif 000006